(57)【特許請求の範囲】
【請求項１】
照射開口部を有する器具本体と；
器具本体に配設された光源部と；
照射開口部の縁部であって背面側へ突出するように設けられた止着部材と；
止着部材が挿通する挿通部を有し、挿通部を止着部材に挿通することによって光源部を覆うように配設されるとともに前記照射開口部から前記光源部の出射光側へ突出するように形成された透光性のグローブと；
止着部材が挿通する挿通部を有し、挿通部を止着部材に挿通することによってグローブの前記突出した形状の外面に沿って変形した状態で配設されるシート状の柔軟性を有する不燃性部材と；
止着部材に取付けられ、グローブ及び不燃性部材を器具本体との間で挟持する挟持部材と；
を具備することを特徴とする照明器具。
【請求項２】
光源部は、基板と、基板に実装された発光素子とを有して取付部材に取付けられており、取付部材は、止着部材が挿通する挿通部を有し、挿通部を止着部材に挿通して挟持部材を止着部材に取付けることにより、グローブ及び不燃性部材を器具本体と取付部材との間で挟持することを特徴とする請求項１に記載の照明器具。
【請求項３】
止着部材は、照射開口部の内側縁部に固着されていることを特徴とする請求項１又は請求項２に記載の照明器具。
【発明の詳細な説明】
【技術分野】
【０００１】
本発明の実施形態は、照明器具本体に配設された光源部を覆う透光性を有するグローブを備えた照明器具に関する。
【背景技術】
【０００２】
従来、例えば、バスや鉄道車両等の車両における車内灯に用いられる照明器具は、車両の天井面（被設置部）に設置される器具本体を備えており、この器具本体の前面側に直管形蛍光ランプ等の光源部が配設されているとともに、この光源部を覆う透光性を有するグローブが設けられている。
【０００３】
また、上記のような照明器具において、グローブを不燃性とするため、グローブの外面に沿って不燃性のガラスクロス材を配置し、例えば、クリップでグローブの端部にガラスクロス材を挟み込んで止めるものが提案されている。
【先行技術文献】
【特許文献】
【０００４】
【特許文献１】特開２００８−２９６７７４号公報
【特許文献２】特開２０１２−６９２６４号公報
【発明の概要】
【発明が解決しようとする課題】
【０００５】
しかしながら、上記のようにグローブにガラスクロス材をクリップによって挟み込んで止める場合には、製造過程や使用中においてガラスクロス材にしわが生じたり、弛みが生じたりする虞がある。また、グローブにガラスクロス材を止めるために、格別にクリップを設けることとなり、部品点数が増加してコストアップを招く可能性がある。
【０００６】
本発明は、上記課題に鑑みなされたもので、グローブの外面に沿って配設される不燃性部材にしわが生じたり、弛みが生じたりするのを抑制できるとともにコストアップを回避することが可能な照明器具を提供することを目的とする。
【課題を解決するための手段】
【０００７】
本発明の実施形態による照明器具は、照射開口部を有する器具本体と、器具本体に配設された光源部と、照射開口部の縁部であって背面側へ突出するように設けられた止着部材と、止着部材が挿通する挿通部を有し、挿通部を止着部材に挿通することによって光源部を覆うように配設されるとともに前記照射開口部から前記光源部の出射光側へ突出するように形成された透光性のグローブとを備えている。
【０００８】
また、止着部材が挿通する挿通部を有し、挿通部を止着部材に挿通することによってグローブの前記突出した形状の外面に沿って変形した状態で配設されるシート状の柔軟性を有する不燃性部材と、止着部材に取付けられ、グローブ及び不燃性部材を器具本体との間で挟持する挟持部材とを備えている。
【発明の効果】
【０００９】
本発明の実施形態によれば、不燃性部材にしわが生じたり、弛みが生じたりするのを抑制できるとともにコストアップを回避することが可能な照明器具を提供することができる。
【図面の簡単な説明】
【００１０】
【図１】本発明の実施形態に係る照明器具が被設置部に取付けられた状態を示す斜視図である。
【図２】同照明器具を前面側から見て示す平面図である。
【図３】同照明器具の断面を示しており、図２及び図４中、Ｙ−Ｙ線に沿って示す断面図である。
【図４】同照明器具を背面側から見て示す部分的な斜視図である。
【図５】同照明器具を背面側から見て示す部分的な拡大斜視図である。
【図６】図５において、光源部取付部材、設置金具を取外し、グローブ及びガラスクロスの取付状態を示す部分的な拡大斜視図である。
【発明を実施するための形態】
【００１１】
以下、本発明の実施形態について図１乃至図６を参照して説明する。本実施形態では、バスや電車等の車両における車内灯として用いられる照明器具を示している。なお、各図において同一部分には同一符号を付し、重複した説明は省略する。
【００１２】
照明器具は、車両の天井面等の被設置部Ｃに取付けられる長尺状の器具本体１と、この器具本体１に配設された光源部２と、器具本体１の両端面側に取付けられる端部カバー３と、光源部２を覆うグローブ４と、光源部２を点灯制御する点灯装置５とを備えている。
このような照明器具は、前面側を光の照射面とし、背面側を被設置部Ｃへの取付面としている。
【００１３】
器具本体１は、図１乃至図４に示すように、例えば、溶融亜鉛めっき鋼鈑等の金属材料によって略Ｌ字状に折曲して長尺状に形成された一対の側枠１１を備えている。側枠１１は、側面壁１２と、この側面壁１２から略直角に折曲して形成された前面壁１３とを有している。
【００１４】
また、図３に代表して示すように、一対の側枠１１は、前面壁１３の長手方向に沿う端部が互いに対向するように配置され、これら端部間に照射開口部１４が形成されるようになっている。したがって、照射開口部１４は、長手方向に沿って長尺状に形成されるようになる。
【００１５】
さらに、図３及び図４に示すように、照射開口部１４の内側縁部には、複数の止着部材１５が背面方向へ突出するように設けられている。詳しくは、止着部材１５は、金属製のスタッドビスであり、雄ねじが形成されていて、前面壁１３の内側にその一端が溶接等によって固着され、他端が背面方向に突出して立設されるようになっている。このスタッドビスは、前面壁１３の長手方向に沿って複数個が所定の位置に配設されている。
また、止着部材１５には、挟持部材１６が取付けられるようになっている。具体的には、挟持部材１６は、スタッドビスにねじ込まれるナットである。
光源部２は、図３に代表して示すように、基板２１と、この基板２１に実装された複数の発光素子２２と、各発光素子２２を覆う蛍光体層２３とを備えている。
【００１６】
基板２１は、絶縁材である例えば、ガラスエポキシ樹脂（ＦＲ−４）等の材料で細長の長方形状に形成されている。表面側には銅箔で形成された配線パターンが施されている。また、適宜レジスト層が施されるようになっている。
【００１７】
なお、基板２１の材料には、セラミックス材料、合成樹脂材料又は各発光素子２２の放熱性を高めるうえで、アルミニウム等の熱伝導性が良好で放熱性に優れたべース板の一面に絶縁層が積層された金属製のべース基板を適用することができ、格別その材料が限定されるものではない。
【００１８】
複数の発光素子２２は、ＬＥＤのベアチップからなる。ＬＥＤのベアチップには、例えば、白色系の光を発光部で発光させるために、青色の光を発するものが用いられている。このＬＥＤのベアチップは、シリコーン樹脂系の絶縁性接着剤を用いて基板２１上に接着され、ボンディングワイヤによって配線パターン上に電気的に接続されている。
【００１９】
蛍光体層２３は、透光性合成樹脂、例えば、透明シリコーン樹脂製であり、ＹＡＧ：Ｃｅ等の蛍光体を適量含有している。蛍光体層２３は、個々の発光素子２２を発光素子２２ごとに被覆する山形の形状をなしている。蛍光体は、発光素子２２が発する光で励起されて、発光素子２２が発する光の色とは異なる色の光を放射する。発光素子２２が青色光を発する本実施形態では、白色光を出射できるようにするために、蛍光体には青色の光とは補色の関係にある黄色系の光を放射する黄色蛍光体が使用されている。
【００２０】
なお、発光素子２２としては、表面実装型のＬＥＤパッケージを用いてもよい。また、砲弾型のＬＥＤを実装するようにしてもよく、実装方式や形式は、格別限定されるものではない。
【００２１】
このような光源部２は、光源部取付部材２５に取付けられるようになっている。光源部取付部材２５は、アルミニウム等の熱伝導が良好な金属材料から長尺状に形成されていて、断面形状が背面側へ凸をなす略台形状に形成されている。取付部材２５は、平坦な取付面２５ａと、この取付面２５ａの長手方向に沿う両端部から折曲して形成された取付片２５ｂとから構成されている。取付片２５ｂには、前記止着部材１５に対応する位置に止着部材１５が挿通する挿通部２５ｃ、すなわち、貫通孔が形成されている。
【００２２】
この光源部取付部材２５は、器具本体１の前面壁１３に取付けられている。具体的には、詳細を後述するように、止着部材１５に取付片２５ｂに形成された挿通部２５ｃが挿通され、挟持部材１６がねじ込まれて取付けられる。
【００２３】
光源部２における基板２１は、前記光源部取付部材２５の取付面２５ａに複数枚、例えば、２枚の基板２１が長手方向に直線状に並べられて配設されている。したがって、基板２１の裏面側は、光源部取付部材２５の取付面２５ａに面接触して熱的に結合されるようになっている。
【００２４】
図１、図２及び図４に示すように、器具本体１の長手方向の両端面側には端部カバー３が取付けられている。端部カバー３は、器具本体１の両端面をカバーするものであり、金属板から形成されており、器具本体１の長手方向の端部からスライドさせて配置し、光源部取付部材２５にねじ止めされて取付けられるようになっている。
【００２５】
また、端部カバー３には、器具本体１を設置する際に供される取付ねじの通過孔３１が形成されている。なお、この通過孔３１に対応して光源部取付部材２５にも通過孔２６が形成されている。
【００２６】
グローブ４は、図１乃至図３に代表して示すように、透光性を有し、側断面が略Ｕ字形状をなして長尺状に形成され、器具本体１の照射開口部１４に配設されて光源部２を覆うようになっている。グローブ４は、透明のポリカーボネート樹脂又はアクリル樹脂等によって形成されていて、その外面側は、不燃性部材であるシート状のガラスクロス４５によって覆われるようになっている。
【００２７】
より詳しくは、グローブ４は、本体部４１と、この本体部４１から延出した取付片部４２とを備えている。本体部４１は、前面側、すなわち、光源部２の出射光側へ突出するように側断面が略Ｕ字形状の曲線をなすように形成されており、この本体部４１の長手方向に沿う開放側、すなわち、背面側の両端部には、本体部４１の突出方向と略直交する方向に延出する平坦状であって鍔状の取付片部４２が形成されている。
この取付片部４２には、前記止着部材１５に対応する位置に止着部材１５が挿通する挿通部４２ｃとして貫通孔が形成されている。
【００２８】
グローブ４には、外面に沿って不燃性部材であるガラスクロス４５が配設されるようになっている。ガラスクロス４５は、不燃性の材料からなるガラス繊維によって形成されており、柔軟性を有しているとともに透光性を有している。また、ガラスクロス４５は、その幅方向の長さ寸法がグローブ４の外面における幅方向の長さ寸法より長く形成されていている。
【００２９】
具体的には、ガラスクロス４５は、グローブ４における本体部４１の曲面に沿い、また、取付片部４２に沿って配設される。また、取付片部４２に形成された挿通部４２ｃと対応して貫通孔からなる挿通部４５ｃが形成されている。
さらに、グローブ４の長手方向の両端部には、この両端部を閉塞する金属製のグローブ端板４３が取付けられている。
【００３０】
点灯装置５は、器具本体１に支持台５１を介して取付けられている。点灯装置５は、箱状のケース内に回路部品を収容して構成されており、商用交流電源ＡＣに接続されて、この交流電源ＡＣを受けて直流出力を生成するものである。点灯装置５は、例えば、全波整流回路の出力端子間に平滑コンデンサを接続し、この平滑コンデンサに直流電圧変換回路及び電流検出手段を接続して構成されている。
【００３１】
したがって、点灯装置５は、光源部２に接続されており、その直流出力を発光素子２２に供給し、発光素子２２を点灯制御するようになっている。なお、点灯装置５は、外部の直流電源ＤＣに接続されて、直流電源ＤＣを受けて、ＬＥＤに直流出力を供給する形態であってもよい。
【００３２】
支持台５１は、アルミニウム等の熱伝導が良好な金属材料から形成されていて、平坦な支持面５１ａと、この支持面５１ａの長手方向に沿う両端部から断面略Ｌ字状に折曲して形成された取付片５１ｂとから構成されている。
また、取付片５１ｂには、前述と同様に止着部材１５に対応する位置に止着部材１５が挿通する挿通部５１ｃとして貫通孔が形成されている。
【００３３】
したがって、点灯装置５は、支持台５１の支持面５１ａにねじ止めして取付けられ、支持台５１は、止着部材１５によって器具本体１に取付けられるようになっている。
【００３４】
図３乃至図５に示すように、光源部取付部材２５の背面側には、一対の設置金具６が設けられている。設置金具６は、金属板を略コ字状に折曲して形成されており、設置面６１と、この設置面６１から折曲されて外側方向に延出する固定片６２とを備えている。設置面６１には、被設置部Ｃへ取付けるための取付ねじ貫通孔６１ａが形成されており、固定片６２には、止着部材１５が挿通する挿通部６２ｃとして貫通孔が形成されている。
したがって、設置金具６は、固定片６２に形成された挿通部６２ｃが止着部材１５に挿通され、挟持部材１６がねじ込まれて器具本体１に固着される。
【００３５】
次に、主として図３乃至図６を参照して照明器具の組立構成及び設置状態の概要について説明する。ガラスクロス４５、グローブ４、光源部取付部材２５及び支持台５１は、止着部材１５によって器具本体１に取付けられる。具体的には、各挿通部４５ｃ、４２ｃ、２５ｃ、５１ｃが止着部材１５に挿通され、止着部材１５に挟持部材１６がねじ込まれることによって取付けられる。なお、組立の順序は、以下に限定されるものではない。適宜変更が可能である。
【００３６】
まず、図６に示すように、ガラスクロス４５に形成された複数の挿通部４５ｃを止着部材１５に挿通させるとともに、同位置に形成されたグローブ４の挿通部４２ｃを止着部材１５に挿通させる。この状態においては、グローブ４の外面に沿ってガラスクロス４５が配設されるようになる。
【００３７】
次に、グローブ４の取付片部４２に光源部取付部材２５の取付片２５ｂを重合するように載置する。この場合にも同様に、光源部取付部材２５の取付片２５ｂに形成された挿通部２５ｃを止着部材１５に挿通させる。
【００３８】
続いて、点灯装置５が取付けられた支持台５１における取付片５１ｂを光源部取付部材２５の取付片２５ｂに重合するように載置する。同様に、取付片５１ｂ形成された挿通部５１ｃを所定の止着部材１５に挿通させる。
【００３９】
次いで、一対の設置金具６における固定片６２を光源部取付部材２５における取付片２５ｂの端部側に重合するように載置する。同じく、固定片６２に形成された挿通部６２ｃを止着部材１５に挿通させる。
【００４０】
以上のような状態において、各止着部材１５に挟持部材１６を、すなわち、スタッドビスにナットをねじ込んで締付ける。したがって、グローブ４及びガラスクロス４５は、挟持部材１６によって挟持部材１６と器具本体１との間に挟持されて固定される。
【００４１】
具体的には、グローブ４及びガラスクロス４５は、光源部取付部材２５における取付片２５ｂが介在されることによって、取付片２５ｂに押さえ込まれるようにして挟持部材１６と器具本体１の前面壁１３との間に挟持される。
【００４２】
また、支持台５１における取付片５１ｂが介在される部分においては、取付片５１ｂを介してグローブ４及びガラスクロス４５が光源部取付部材２５の取付片２５ｂに挟持されるようになる。
さらに、一対の設置金具６は、光源部取付部材２５における取付片２５ｂを介して器具本体１の前面壁１３に取付けられる。
加えて、器具本体１の両端面側に端部カバー３をねじ止めして取付ける。
【００４３】
このような組立構成において、グローブ４及びガラスクロス４５は、挟持部材１６によって挟持部材１６と器具本体１との間に挟持されて固定されるため、その固定を強固に行うことができ、グローブ４の外面に沿ってガラスクロス４５を密着するように配設することができ、ガラスクロス４５にしわが生じたり、弛みが生じたりするのを抑制することが可能となる。
【００４４】
また、この場合、ガラスクロス４５をグローブ４の外面に配設するに際し、格別な部品を設けることなく、グローブ４を器具本体１に取付けるための止着部材１５、挟持部材１６を利用できるので、部品点数を増加させることなく、コストアップの回避が可能となる。
【００４５】
さらに、グローブ４及びガラスクロス４５は、光源部取付部材２５における取付片２５ｂに押さえ込まれるようにして挟持されるため、その保持状態が確実となる。加えて、グローブ４、ガラスクロス４５及び光源部取付部材２５を同時に器具本体１に取付けることが可能となる。
【００４６】
さらにまた、点灯装置５の支持台５１は、グローブ４、ガラスクロス４５及び光源部取付部材２５とともに器具本体１に取付けられるので組立作業の効率化を図ることができる。
【００４７】
また、ガラスクロス４５、グローブ４、光源部取付部材２５、支持台５１、設置金具６の各部材は、器具本体１の背面側の一方向から重ねるように配設できるので、組立作業が容易となり作業性を向上することができる。
さらに、止着部材１５は、器具本体１における前面壁１３の内側に固着されているので、器具本体１の外側に現れることなく、外観性が良好となる。
【００４８】
なお、本実施形態においては、グローブ４及びガラスクロス４５が光源部取付部材２５に挟持される場合について説明したが、光源部取付部材２５を介在させることなく、挟持部材１６で直接的にグローブ４及びガラスクロス４５を挟持するようにしてもよい。
また、止着部材１５が挿通する各挿通部４５ｃ、４２ｃ、２５ｃ、５１ｃは、貫通孔に限らない。例えば、切欠きによって構成してもよい。
【００４９】
照明器具を被設置部Ｃに設置する場合には、設置金具６の設置面６１を被設置部Ｃに当接するように配置し、取付ねじＳを端部カバー３の通過孔３１、光源部取付部材２５の通過孔２６を通過させて、設置金具６の取付ねじ貫通孔６１ａを介して被設置部Ｃにねじ込む。これにより、照明器具は、被設置部Ｃに取付けられる。
【００５０】
照明器具の設置状態において、点灯装置５に電力が供給されると、光源部２における発光素子２２に通電され発光素子２２は発光する。発光素子２２から出射された光は、グローブ４、ガラスクロス４５を透過して拡散され、所定の配光範囲に照射される。
また、発光素子２２の発光に伴い熱が発生する。この熱は、基板２１の裏面側から主として光源部取付部材２５、器具本体１へ伝導され放熱される。
【００５１】
以上のように本実施形態によれば、グローブ４の外面に沿って配設されるガラスクロス４５にしわが生じたり、弛みが生じたりするのを抑制できるとともにコストアップを回避することが可能な照明器具を提供することができる。
【００５２】
本発明は、上記実施形態の構成に限定されることなく、発明の要旨を逸脱しない範囲で種々の変形が可能である。また、上記実施形態は、一例として提示したものであり、発明の範囲を限定することは意図していない。
【符号の説明】
【００５３】
１・・・器具本体、２・・・光源部、
３・・・端部カバー、４・・・グローブ、
５・・・点灯装置、６・・・設置金具、
１４・・・照射開口部、１５・・・止着部材（スタッドビス）、
１６・・・挟持部材（ナット）、２１・・・基板、
２２・・・発光素子（ＬＥＤ）、２５・・・光源部取付部材、
２５ｃ、４２ｃ、４５ｃ、５１ｃ・・・挿通部、４１・・・グローブの本体部、
４２・・・グローブの取付片部、４５・・・不燃性部材（ガラスクロス）、
５１・・・点灯装置の支持台、Ｃ・・・被設置部
【図１】
0005974610.tif 000002
【図２】
0005974610.tif 000003
【図３】
0005974610.tif 000004
【図４】
0005974610.tif 000005
【図５】
0005974610.tif 000006
【図６】
0005974610.tif 000007